(57)【要約】【課題】  異なる作業に対して高い利便性を発揮する回転工具を提供する。【解決手段】  回転駆動工具のチャック部に装着可能な回転工具であって、前記回転工具は基幹部回転工具と先端部回転工具とを備え、前記基幹部回転工具は、第一の作業に用いられる第一の工作部と、前記チャック部に装着可能な前記第一の工作部よりも基端側に設けられた取付け軸と、前記第一の工作部よりも先端側に設けられた第一の係合部とを備え、前記先端部回転工具は、第二の作業に用いられる第二の工作部と、前記第二の工作部よりも基端側に設けられ前記第一の係合部と係合される第二の係合部とを備えることを特徴とする。【選択図】図１
2019107732.tif 000002
【特許請求の範囲】
【請求項１】
回転駆動工具のチャック部に装着可能な回転工具であって、
前記回転工具は基幹部回転工具と先端部回転工具とを備え、
前記基幹部回転工具は、第一の作業に用いられる第一の工作部と、前記チャック部に装着可能な前記第一の工作部よりも基端側に設けられた取付け軸と、前記第一の工作部よりも先端側に設けられた第一の係合部とを備え、
前記先端部回転工具は、第二の作業に用いられる第二の工作部と、前記第二の工作部よりも基端側に設けられ前記第一の係合部と係合される第二の係合部とを備える
ことを特徴とする回転工具。
【請求項２】
前記第一の作業は前記第二の作業とは異なる作業である、
請求項１に記載の回転工具。
【請求項３】
前記第一の工作部は切削具であり、
前記第二の工作部はネジ締結具または穿孔具である、
請求項１〜２のいずれか１項に記載の回転工具。
【請求項４】
前記第一の工作部はダイヤモンドカッターであり、
前記第二の工作部はドライバまたはドリルである、
請求項１〜３のいずれか１項に記載の回転工具。
【請求項５】
回転駆動工具のチャック部に装着される回転工具における先端部回転工具であって、
前記回転工具は、
基幹部回転工具と前記先端部回転工具とを備えるものであり、
前記基幹部回転工具は、第一の作業に用いられる第一の工作部と、前記チャック部に装着可能な前記第一の工作部よりも基端側に設けられた取付け軸と、前記第一の工作部よりも先端側に設けられた第一の係合部とを備え、
前記先端部回転工具は、第二の作業に用いられる第二の工作部と、前記第二の工作部よりも基端側に設けられ前記第一の係合部と係合される第二の係合部とを備える
ことを特徴とする回転工具における先端部回転工具。
【請求項６】
前記第一の工作部は切削具であり、
前記第二の工作部はネジ締結具または穿孔具である
ことを特徴とする請求項５に記載の先端部回転工具。
【発明の詳細な説明】
【技術分野】
【０００１】
本発明は、電動ドリル等の回転駆動工具のチャック部に装着可能な取付け軸を備えた回転工具あるいはこれに接続可能な回転工具に関する。
【背景技術】
【０００２】
従来、ドリルやドライバなどを先端工具（以下、「ビット」ともいう）とし、電動ドリルや電動ドライバ等の回転駆動工具のチャック部などに装着されてこの回転駆動工具の回転駆動力を伝達されて回転する回転工具が広く用いられている。
【０００３】
そして、ビットには種々のものがあり、用途に合わせてビットを交換することで回転駆動工具の機能が高められているが、回転工具の汎用性や利便性をいっそう高めるための様々な工夫も行われてきた。
【０００４】
例えば、表面板とベース板との間に断熱材が挟み込まれた積層体を鋼製部材に締結する作業を能率良く行えるようにするドリルねじ用ソケットビットが提案されている（特許文献１）。
【０００５】
すなわち、特許文献１には、動力式ドライバ工具に取付いて軸心回りに回転する本体を備えており、この本体のうちドライバ工具と反対側の先端部に、ドリルねじの頭が嵌まる係合部と、ドリルねじが進入した表面板を円形にくり抜きできる切刃とを設けていることを特徴とするドリルねじ用ソケットビットが開示されている。
【０００６】
また、保持部の構造が異なる２タイプの回転駆動工具に、共通して使用可能な回転工具用取付け軸および該取付け軸を備えた回転工具が提案されている（特許文献２）。
【０００７】
すなわち、特許文献２には、回転刃物と軸方向につながることにより回転工具を構成し、かつ、保持部を有する回転駆動工具の当該保持部に着脱可能に装着された状態で前記回転駆動工具の回転駆動力を受けて前記回転刃物とともに回転することにより前記回転刃物に被加工物の加工を行なわせ、かつ、前記保持部の形態が異なる２種類の回転駆動工具の双方に共通して使用可能な回転工具用取付軸であって、当該取付軸は、前記回転駆動工具として、円形以外の断面形状を有する第１の挿入孔を囲みかつこの挿入孔に挿入される取付軸の周面に対して係合することにより当該取付軸の抜け止めを行なう係合部を有する第１の保持部を有するもの、および、円形以外の断面形状を有する第２の挿入孔を囲みこの挿入孔に挿入される取付軸を径方向外側から把持することにより当該取付軸を把持する把持部を有する第２の保持部を有するもののいずれにも装着可能なものであって、前記第１の保持部に装着可能な第１の軸部と、前記第２の保持部に装着可能な第２の軸部とを共通の軸線上に有し、前記第１の軸部は、前記第１の挿入孔内に嵌入可能な円形以外の断面形状を有し、かつ、その周面に前記係合部が嵌り込み可能な凹部が形成されたものであり、前記第２の軸部は、前記各把持部と圧接可能な複数の被把持面を含む形状の周面を有することを特徴とする回転工具用取付軸が開示されている。
【先行技術文献】
【特許文献】
【０００８】
【特許文献１】特開２０００−１４１２３６
【特許文献２】実用新案登録第３１４６２３７号
【発明の概要】
【発明が解決しようとする課題】
【０００９】
しかしながら、特許文献１や特許文献２に開示された技術では、１つの作業に対してその作業精度や作業効率を高めるための作用効果や、複数種の回転駆動工具への汎用性を高めるための作用効果はあるものの、異なる作業に対する汎用性ないし利便性を高めるための工夫といった観点では改善の余地がある。
【００１０】
そこで、本発明は、異なる作業に対しても高い汎用性ないし利便性を発揮する回転工具を提供することを目的とする。
【課題を解決するための手段】
【００１１】
そこで、本発明の一実施形態にかかる回転工具は、回転駆動工具のチャック部に装着可能な回転工具であって、前記回転工具は基幹部回転工具と先端部回転工具とを備え、前記基幹部回転工具は、第一の作業に用いられる第一の工作部と、前記チャック部に装着可能な前記第一の工作部よりも基端側に設けられた取付け軸と、前記第一の工作部よりも先端側に設けられた第一の係合部とを備え、前記先端部回転工具は、第二の作業に用いられる第二の工作部と、前記第二の工作部よりも基端側に設けられ前記第一の係合部と係合される第二の係合部とを備えることを特徴とする。
【発明の効果】
【００１２】
本発明の一実施形態にかかる回転工具によれば、１つの作業に対してその作業精度や作業効率等を高めるだけでなく、異なる作業に対しても高い汎用性ないし利便性を発揮する回転工具を提供できるという効果を奏する。
【図面の簡単な説明】
【００１３】
【図１】本発明の一実施形態にかかる回転工具の外観構成を説明する説明図である。
【図２】本発明の一実施形態にかかる回転工具を回転駆動工具に取り付けた様子を説明する説明図である。
【図３Ａ】本発明の一実施形態にかかる回転工具の第１の使用例を説明する説明図である。
【図３Ｂ】本発明の一実施形態にかかる回転工具の第１の使用例を説明する説明図である。
【図４】本発明の一実施形態にかかる回転工具の第１の使用を終えた状態の様子を説明する説明図である。
【図５Ａ】本発明の一実施形態にかかる回転工具の第２の使用例を説明する説明図である。
【図５Ｂ】本発明の一実施形態にかかる回転工具の第２の使用例を説明する説明図である。
【発明を実施するための形態】
【００１４】
本発明にかかる回転工具の実施形態について、図面を参照しながら説明する。
【００１５】
図１に、本発明の一実施形態にかかる回転工具の外観構成を示す。
【００１６】
本発明の一実施形態にかかる回転工具１０は、大別して、先端部回転工具１１０と基幹部回転工具１２０とから構成される。
先端部回転工具１１０は、ネジ締結等の作業に用いられるドライバ１１１と、ドライバ１１１の基端側に設けられ先端部回転工具１１０と基幹部回転工具１２０との係合に用いられる六角ナット１１２とから構成される。
【００１７】
基幹部回転工具１２０は、本体軸部１２２と、本体軸部１２２の先端側に着脱可能に設けられ回転軸に対して垂直方向の切削等の作業に用いられる円盤状のダイヤモンドカッター１２１と、ダイヤモンドカッター１２１の先端側に設けられ先端部回転工具１１０と基幹部回転工具１２０との係合に用いられる螺合溝（凸）１２４と、本体軸部１２２の基端側に設けられ、回転駆動工具（図１において不図示）のチャック部に装着可能な取付け軸部１２３とから構成される。
先端部回転工具１１０の六角ナット１１２の内周面に形成された不図示の雌ネジ部と、基幹部回転工具１２０の螺合溝（凸）１２４とを螺合させることによって、先端部回転工具１１０と基幹部回転工具１２０とが、ダイヤモンドカッター１２１を挟持しつつ係合された状態になる。いったん、先端部回転工具１１０と基幹部回転工具１２０とで挟持されたダイヤモンドカッター１２１は、容易なことでは緩まず、回転駆動工具からの回転トルクが伝達された場合には回転工具１２０と一体となって回転される。
【００１８】
なお、基幹部回転工具１２０の先端部に対し、先端部回転工具１１０に替えて図示しない袋ナットまたはキャップナットを螺合締結させることもできる。この場合の回転工具の機能は、従前どおり１種類（ダイヤモンドカッター１２１による切削・切断）のみとなる。
【００１９】
図２に、本発明の一実施形態にかかる回転工具を回転駆動工具に取り付けた様子を示す。回転駆動工具である電動ドリル２００の先端部２１０内側には、チャック部（図２において不図示）が設けられており、このチャック部に基幹部回転工具１２０の取付け軸部１２３を装着することによって、回転工具１０は電動ドリル２００に取付けられる。電動ドリル２００の電源を入れて回転機構を起動させることにより生じた回転トルクは、取付け軸部１２３を介して回転工具１０へ伝達される。また、電動ドリル２００の回転機構の回転速度や回転方向は図示しないスイッチ等により可変させることができる。すなわち、回転速度を速めたり遅めたり、回転方向を正逆入れ替えたりすることができる。
【００２０】
これにより、回転工具１０の先端部のドライバ１１１の正または逆回転によってネジ止めやネジ開け等の作業を行うことができ、また、回転工具１０それ自体を取り換えることなくダイヤモンドカッター１２１の高速回転によって切削・切断等の作業を行うことができる。
【００２１】
次に、図３Ａ〜図５Ｂを参照して、本発明の一実施形態にかかる回転工具の実施例を示す。これらの実施は、本発明の一実施形態にかかる回転工具が、ダイヤモンドカッター（回転軸に対する水平方向の切削作業）とドライバビット（回転軸に対して同方向の締結作業）とをビット交換を要せずに効率よく行うことができることを示している。以下、説明の便宜上、ダイヤモンドカッターによる作業を第１の使用例と呼び、ドライバビットによる作業を第２の使用例と呼ぶこととする。
【００２２】
図３Ａ及び図３Ｂに、本発明の一実施形態にかかる回転工具による第１の使用例を示す。図３Ａには、本発明にかかる回転工具の第１の使用がなされる前の状態が示されており、床３０に排水用塩ビパイプ３１が、その余剰部分が床面から高さＨだけ突出した状態で、敷設されている。図３Ｂには、本発明にかかる回転工具の第１の使用がなされている最中の状態が示されている。まず、電動ドリル２００の先端に取付けられた回転工具１０は、排水用塩ビパイプ３１の管腔内を、ダイヤモンドカッター１２３が床面と略同一平面を成す位置まで挿入される。その後、電動ドリル２００を回転駆動させ、回転トルクを回転工具１０へ伝達し、回転工具１０に挟持装着されたダイヤモンドカッター１２３を回転させる。ダイヤモンドカッター１２３が回転している状態で、ダイヤモンドカッター１２３の外周を排水用塩ビパイプ３１の内周面全周に亘って順次当接回転させることにより、排水用塩ビパイプ３１はパイプの切断箇所３１１にて切断される。
【００２３】
図４に、本発明の一実施形態にかかる回転工具による第１の使用を終えた状態を示す。図３Ａ〜図３Ｂに示した第１の使用によって、排水用塩ビパイプ３１はパイプの切断箇所３１１にて切断され、排水用塩ビパイプ３１の床面から突出した余剰部分と床３０に埋設された部分とが切り離された状態となっている。その結果、床３０に敷設された排水用塩ビパイプ３１の上端平面は、床３０の平面と略一致する状態となり、この部分に後述する排水用アダプタを取り付けることができるようになる。
【００２４】
図５に、本発明の一実施形態にかかる回転工具による第２の使用例を示す。
図５Ａには、本発明にかかる回転工具の第２の使用がなされる前の状態が示されており、床３０に埋設された排水用塩ビパイプ３１に排水口アダプタ５１が装着されている。具体的には、排水用塩ビパイプ３１の上部内周面に排水口アダプタ５１の嵌合筒５１２の外周面が当接して位置決め固定されている。また、排水口アダプタ５１には、排水口アダプタ５１の上部内周面に設けられ不図示の排水管との接続に用いられる螺合溝５１１と、床３０の平面と接するフランジ５１３とが設けられている。
【００２５】
図５Ｂには、本発明にかかる回転工具の第２の使用がなされている最中の状態が示されている。排水口アダプタ５１のフランジ５１３にはネジ穴５１３ａ〜５１３ｃが設けられている（図３において、ネジ穴５１３ａには丸ネジが被さっている状態であり、また、５１３ｃは同図において隠れて見えない）。ドライバ１１１を丸ネジ５５の頭部へ当接させた状態で、電動ドリル２００を駆動させ、回転トルクを回転工具１０へ伝達し、ドライバ１１１を回転させることにより、ネジ穴５１３ａに丸ネジ５５が締結される（図示していないが、同様にネジ穴５１３ｂ、５１３ｃにも丸ネジが締結される）。これにより、排水口アダプタ５１は床３０へ完全に締結固定される。
【００２６】
図３Ａ〜図５Ｂについて説明してきたとおり、床３０への排水管取付け工事においては、ダイヤモンドカッター１２３によって排水用塩ビパイプ３１を切断する作業と、ドライバ１１１によって排水用アダプタ５１を床に固定する作業とが必要となる。この場合、本発明の一実施形態にかかる回転工具によれば、ダイヤモンドカッター１２３およびドライバ１１１を両方備えているため、従来のような回転工具の交換が不要となり、これらの作業を効率よく行うことができる。
【００２７】
また、ダイヤモンドカッター１２３を有する基幹部回転工具１２０の先端に、一定の重みのあるドライバビット（本発明の一実施形態にかかる回転工具においては、六角ナット１１２がその重みに貢献している）を有する先端部回転工具１１０が固定されることによって、ダイヤモンドカッター１２３による排水用塩ビパイプ３１の切断作業時に回転軸がぶれることなく安定して、精度よく切断が行えるということも本発明の特段の効果である。
【００２８】
なお、以上説明した本発明の実施形態においては、先端部回転工具１１０の六角ナット１１２の内周面に形成された不図示の雌ネジ部と、基幹部回転工具１２０の螺合溝（凸）１２４とを螺合させることによって、先端部回転工具１１０と基幹部回転工具１２０とを係合させていたが、係合手段はこれらに限られず、回転工具の回転時に先端部工具１１０と基幹部回転工具１２０との係合が緩まないものであれば、嵌合などその他の係合手段であってもよい。
また、先端部回転工具１１０の軸部として六角ナット１１２を採用したが、本発明はこれに限定されるものではなく、六角ナット以外の形状（例えば、六角ナットの場合の断面は略六角形となるが、略円形、略三角形状その他の多角形状、多角星形等）の軸部を採用することができる。
【００２９】
また、以上説明した本発明の一実施形態においては、先端部回転工具１１０にはドライバ１１１が設けられているが、先端部回転工具１１０に設けられる工具はこれに限られず、回転軸方向の作業に用いられる工具であれば、締結、穿孔、切断、切削、研削、研磨などの作業ための他の工具であってもよい。
【００３０】
さらに、以上説明した本発明の一実施形態においては、基幹部回転工具１２０にはダイヤモンドカッター１２１が設けられているが、基幹部回転工具１２０に設けられる工具はこれに限られず、回転軸に直交する方向の作業に用いられる工具であれば、切断、切削、研削、研磨などの作業ための他の工具であってもよい。
【００３１】
さらに、先端部回転工具１１０や基幹部回転工具１２０に設けられたダイヤモンドライバ１１１やドカッター１２１などの工具は、それぞれの回転工具に一体的に設けられたものであってもよいし、それぞれの回転工具に対して交換可能に装着されるものであってもよい。
【００３２】
［組み合わせ］
本明細書（特許請求の範囲、要約、及び図面を含む）に記載された構成要件については、これらの特徴が相互に排他的である組合せを除き、任意の組合せで組み合わせることができる。
【００３３】
［特徴や要素の一例］
本明細書（特許請求の範囲、要約、及び図面を含む）に記載された特徴や要素の各々（寸法、材料、形状、構成要素の相対的な位置等）は、明示的に否定されない限り、同一の目的、同等の目的、または類似する目的のために作用する代替の要素に置換することができる。したがって、明示的に否定されない限り、開示された要素の各々は、包括的な一連の同一又は均等となる特徴の一例にすぎない。
【符号の説明】
【００３４】
１０    回転工具
１１０  先端部回転工具
１１１  ドライバ（先端部ビット）
１１２  六角ナット（先端部軸部）
１２０  基幹部回転工具
１２１  ダイヤモンドカッター（基幹部ビット）
１２２  本体軸部（基幹部軸部）
１２３  取付け軸部
２００  回転駆動工具（電動ドリルまたは電動ドライバ）
【図１】
2019107732.tif 000003
【図２】
2019107732.tif 000004
【図３Ａ】
2019107732.tif 000005
【図３Ｂ】
2019107732.tif 000006
【図４】
2019107732.tif 000007
【図５Ａ】
2019107732.tif 000008
【図５Ｂ】
2019107732.tif 000009